(57)【特許請求の範囲】
【請求項１】
水を加熱する加熱手段を有する加熱容器と、前記加熱容器への給水を制御する給水弁と、前記加熱容器内の水を吐出するポンプと、前記加熱容器の貯湯量を検知する貯湯量検知手段と、前記加熱手段と前記給水弁を制御する制御手段と、前記加熱容器へ給水した水を受ける給水受け皿バッファとを備え、前記制御手段は、前記加熱容器内の貯湯量が所定量未満を検知すると前記ポンプを駆動禁止にするとともに、前記給水弁を駆動して前記加熱容器への水の給水を行う給湯装置。
【請求項２】
加熱容器内への貯湯量が所定量未満を検知してから所定時間後に前記ポンプを駆動禁止にして、給水弁を駆動して、前記加熱容器への給水を行う請求項１記載の給湯装置。
【請求項３】
ポンプ駆動禁止時には表示装置にてポンプの駆動禁止を知らせる請求項１または２記載の給湯装置。
【発明の詳細な説明】
【０００１】
【発明の属する技術分野】
本発明は、一般家庭におけるキッチンシステムへ組み込んで使用するビルトインタイプの給湯装置に関するものである。
【０００２】
【従来の技術】
従来のビルトインタイプの給湯装置は、加熱容器内の貯湯量が第１の所定量未満となると、加熱容器内に給水を行い、第１の所定量より多い第２の所定量になると、給水を停止するという単純な構成であった。
【０００３】
【発明が解決しようとする課題】
しかしながら、上記従来のような構成では、出湯中にも拘わらず、第１の所定量未満となると、加熱容器内に水を給水するので、出湯中の水温が低くなることがあった。
【０００４】
本発明は、上記従来の課題を解決するもので、出湯中には、加熱容器の貯湯量が第１の所定量未満となると出湯用のポンプを停止して、給水によって下がった加熱容器内の湯を出湯しないようにすることを目的とする。
【０００５】
【課題を解決するための手段】
上記目的を達成するために、本発明の給湯装置は、出湯中においては、加熱容器の貯湯量が所定量未満となると、ポンプを駆動不可にして、加熱容器内への水の給水を行なう構成としたものである。この構成により、出湯時の給水による出温度低下を抑えることができる。
【０００６】
【発明の実施の形態】
請求項１に記載の発明は、水を加熱する加熱手段を有する加熱容器と、前記加熱容器への給水を制御する給水弁と、前記加熱容器内の水を吐出するポンプと、前記加熱容器の貯湯量を検知する貯湯量検知手段と、前記加熱手段と前記給水弁を制御する制御手段と、前記加熱容器へ給水した水を受ける給水受け皿バッファとを備え、前記制御手段は、前記加熱容器内の貯湯量が所定量未満を検知すると前記ポンプを駆動禁止にするとともに、前記給水弁を駆動して前記加熱容器への水の給水を行う給湯装置とする。
【０００７】
この構成によれば、加熱容器内の貯湯量が所定量未満となると、ポンプ駆動を停止して、加熱容器内への水の給水を行うことで、出湯中の出湯温度低下を避けることが出来る。
【０００８】
請求項２に記載の発明は、加熱容器内への貯湯量が所定量未満を検知してから所定時間後に前記ポンプを駆動禁止にして、給水弁を駆動して、前記加熱容器への給水を行う請求項１記載の給湯装置とする。
【０００９】
この構成によれば、加熱容器内の貯湯量がある所定量未満となってから、しばらくの間ポンプを駆動することが出来るので、加熱容器内の貯湯量検知を出湯可能貯湯量より高く設定して余裕を持たしても、加熱容器内の出湯量を最大限有効に利用することが出来る。
【００１０】
請求項３に記載の発明は、ポンプ駆動禁止時には表示装置にて前記ポンプの駆動禁止を知らせる請求項１または２記載の給湯装置とする。
【００１１】
この構成によれば、ポンプ駆動不可を表示装置で知らせることにより、利用者は加熱容器内の貯湯量を見なくても、加熱容器内の貯湯量が空になり、加熱容器内への水の給水中になっていることを知ることが出来る。
【００１２】
【実施例】
以下本発明の実施例について図面を参照しながら説明する。
【００１３】
（実施例１）
以下、本発明の実施例１について図１〜図３を基に説明する。図１において、１は水道管で、２は分岐栓で、３は止水栓である。４はキッチンユニット５内部に収めれらた給湯装置の加熱ユニットで、内部に水を入れる加熱容器６がある。
【００１４】
水道管１から分岐栓２により分岐した接続管７は、給水弁８を介して浄水カートリッジ９の入り口に取り付けられている。浄水カートリッジ９の出口には、切替弁１０が接続されている。切替弁１０の一方（切替弁が駆動している時）は、加熱容器６の上部に接続されている。加熱容器６の底部には水を加熱する主ヒータ１１と、加熱した水を保温する補助ヒータ１２と、加熱容器６内の水温を検出するサーミスタ１３が取り付けられている。
【００１５】
また、加熱容器６内の湯の出口下部には、内部の湯をキッチンユニット５上部に吐出させるポンプ１４が取り付けられている。さらに、加熱容器６内には、貯湯量を検知するための水位電極１５が取り付けられている。この水位電極１５は、加熱容器６内から取り出せる貯湯量に応じて、０．１と０．３、０．６、０．９、１．２、１．５リットルが検知できるように取り付けられている。
【００１６】
なお、本実施例では、加熱容器６内の満水検知量を１．２リットルとしている。１６は、加熱容器６内への給水した水を受けることにより貯めて、ゆっくりと加熱容器６内へ水を補充する給水バッファである。
【００１７】
１７はキッチンユニット５の上部に設けられた水栓で、加熱容器６内の湯を導水する湯パイプ１８と、切替弁１０により分岐したもう一方（切替弁が停止している時）の水パイプ１９と、加熱容器６上部に連通した蒸気パイプ２０とを収納している。そしてこれらの各パイプ１８〜２０および水道栓１ａは、キッチンシンク５ａに臨んで位置している。２１は表示操作部で、水栓１７上部の外面に設けられている。２３はサーミスタ１３及び水位電極１５、表示操作部２１の入力に基づき、給水弁８及び切替弁１０、主ヒータ１１、補助ヒータ１２、ポンプ１４、表示操作部２１を制御するマイクロコンピュータを含む制御手段である。
【００１８】
図２は本実施例の表示操作部２１を示している。浄水ボタンスイッチ２１ａを押すと給水弁８が駆動する。給水弁８が駆動すると、水道管１からの水は、浄水カートリッジ９を通過して、切替弁１０が停止となっているので水パイプ１９を通過して出水する。もう一度、浄水ボタンスイッチ２１ａを押すと、給水弁８が停止して、水パイプ１９からの出水は止まる。
【００１９】
ロック解除ボタンスイッチ２１ｂを押すと、ロック解除ＬＥＤ２１ｃが点灯して出湯可能状態になる。ロック解除ボタンスイッチ２１ｂを押してから１０秒以内に出湯ボタンスイッチ２１ｄを押し続けると、出湯ボタンスイッチ２１ｄを押している間のみ、ポンプ１４が駆動して、加熱容器６内の水を湯パイプ１８から出湯する。押し続けている出湯ボタンスイッチ２１ｄから手を離すと、ポンプ１４が停止して湯バイプ１８からの出湯は止まる。１０秒後に、ロック解除ＬＥＤ２１ｃが消灯して、出湯不可能状態となる。
【００２０】
また、湯量１のＬＥＤ２１ｅ、湯量２のＬＥＤ２１ｆ、湯量３のＬＥＤ２１ｇは、水位電極１５によって検知した加熱容器６内の貯湯量に応じて変化する。
【００２１】
図３は加熱容器６内を拡大した図で、水位電極１５とポンプ１４の出湯パイプの位置関係を示している。水位電極１５は、ア〜キの７本の電極が貯湯量の検知レベルに合わせて取り付けられている。
【００２２】
また、キの電極は、コモン電極として使用している。例えば、アとキの電極間の抵抗値が１２０ｋΩ未満と検知して、イとキの電極間も１２０ｋΩ未満と検知している時には、検知量が０．３〜０．６リットルとなる。
【００２３】
また、ア〜カとキの電極間で抵抗値が１２０ｋΩ以上を検知した時の検知量は０．１リットル未満となる。ここで、検知量は取り出せる湯量を表していて、実際の加熱容器６内に残っている湯量を表してはいない。
【００２４】
上記した実施例における実際の動作について、図１〜図３を参照しながら説明する。電源スイッチをオンすると、切替弁１０が駆動した後、給水弁８が駆動する。すると水は、水道管１から浄水カートリッジ９を通過した後、切替弁１０によって加熱容器６に貯水していく。水位電極１５の検知量が０．３リットルに達すると、給水弁８と切替弁１０を停止して加熱容器６内への貯水は止まる。その後、主ヒータ１１と補助ヒータ１２を駆動して、加熱容器６内の水を加熱する。なお、この状態では、加熱容器６内の湯温が低くなっている。
【００２５】
また、湯量１のＬＥＤ２１ｅが点滅表示をしていて、利用者に出湯禁止状態であることを示している。また、この状態では、ロック解除ボタンスイッチ２１ｂを押しても出湯可能状態にはならない。その後、サーミスタ１３の検知温度が９５℃以上に達すると、再度、切替弁１０と給水弁８を５秒間駆動して、加熱容器６内に少量の水を給水する。ここから、湯量１のＬＥＤ２１ｅが点灯表示に切り変わる。また、ロック解除ボタンスイッチ２１ｂを押すと、出湯可能状態になる。
【００２６】
その後、給水動作によって、サーミスタ１３の検知温度が下がり、その後サーミスタ１３の検知温度が９３℃以上に達すると、再度、切替弁１０と給水弁８を５秒間駆動して、加熱容器６内に少量の水を給水する。水位電極１５の検知量が１．２リットル以上になるまでこれらの動作を繰り返す。
【００２７】
その後、水位電極１５の検知量が１．２リットル以上を検知すると、主ヒータ１１と補助ヒータ１２を停止する。また、サーミスタ１３の検知温度が９２℃未満となると、補助ヒータ１２を駆動して加熱容器６内のお湯を高温保温するようになっている。
【００２８】
その後、ロック解除ボタンスイッチ２１ｂを押して、出湯可能状態にしてから、出湯ボタンスイッチ２１ｄを押して出湯を行い、水位電極１５の検知量が０．１〜０．９リットルを検知すると、切替弁１０と給水弁８を５秒間駆動して、加熱容器６内に少量の水を給水して、主ヒータ１１と補助ヒータ１２を駆動する。同じように、サーミスタ１３の検知温度が９３℃以上に達すると、再度、切替弁１０と給水弁８を５秒間駆動して、加熱容器６内に少量の水を給水する。水位電極１５の検知量が１．２リットル以上になるまで同じように動作を繰り返す。
【００２９】
また、出湯ボタンスイッチ２１ｄを押して出湯を行い、水位電極１５の検知量が０．１リットル未満を検知すると、出湯を強制的に停止して、出湯禁止状態にする。またその時は、湯量２のＬＥＤ２１ｆと湯量３のＬＥＤ２１ｇを消灯して、湯量１のＬＥＤ２１ｅを点滅表示に切り替える。その後は、水位電極１５の検知量が０．３リットルに達するまで、給水弁８と切替弁１０を駆動して、同じように、主ヒータ１１と補助ヒータ１２を駆動して、水位電極１５の検知量が１．２リットル以上になるまで同じように繰り返す。
【００３０】
このように、水位電極１５の検知量が０．１リットル未満となると、出湯禁止状態にして加熱容器６内への給水を行うことで、出湯温度を下げない効果がある。また、水位電極１５の検知量を０．１リットル未満としているのは、出湯不可能な湯量に達しても、水の表面張力により、ポンプ１４の出湯パイプより少し高い位置まで湯量が残る為である。
【００３１】
なお、本実施例では、満水量を１．２リットル、給水時間を５秒間、湯沸かし検知温度を９３℃と９５℃としているが、これらの数値は、本体構成によって決まるので、この数値に限定されるものではない。
【００３２】
（実施例２）
以下、本発明の実施例２について図１と図２、図４を参照しながら説明する。図において実施例１と同一の構成要素については同じ符号を付し説明を省略する。
【００３３】
図４は加熱容器６内を拡大した図で、水位電極１５とポンプ１４の出湯パイプの位置関係を示している。水位電極１５は、イ〜キの６本の電極が貯湯量の検知レベルに合わせて取り付けられている。実施例１と同じように、キの電極は、コモン電極として使用している。
【００３４】
また、イ〜カとキの電極間で抵抗値が１２０ｋΩ以上を検知した時の検知量は０．３リットル未満となる。
【００３５】
上記した実施例における実際の動作について、図１と図２、図４を参照しながら説明する。水位電極１５の検知量が１．２リットル以上で、サーミスタの検知温度が９３℃以上となっている状態から、出湯ボタンスイッチ２１ｄを押して出湯を行い、水位電極１５の検知量が０．３リットル未満を検知して、５秒後に、出湯を強制的に停止する。
【００３６】
なお、水位電極１５の検知量が０．３リットル未満を検知して、すぐに出湯ボタンスイッチ２１ｄを離して出湯動作を止めても、出湯禁止状態となり、給水動作が開始する。またその時は、湯量２のＬＥＤ２１ｆと湯量３のＬＥＤ２１ｇを消灯して、湯量１のＬＥＤ２１ｅを点滅表示に切り替える。また、この状態では、ロック解除ボタンスイッチ２１ｂを押しても出湯可能状態にはならない。
【００３７】
その後は、水位電極１５の検知量が０．３リットルに達するまで、給水弁８と切替弁１０を駆動して、同じように、主ヒータ１１と補助ヒータ１２を駆動して、水位電極１５の検知量が１．２リットル以上になるまで同じように繰り返す。
【００３８】
このように、水位電極１５の検知量が０．３リットル未満となってから、５秒後に、出湯禁止状態にして加熱容器６内への給水を行うことで、出湯温度を下げない効果がある。また、水位電極１５の出湯禁止するための電極を１本減らすことができる。
【００３９】
なお、水位電極１５の検知量が０．３リットル未満となってから、５秒後に出湯禁止状態にしているのは、その５秒間に約０．３リットルの出湯が可能であり、０．３リットル未満から出湯可能な湯量を全て出し切る場合も考慮して決められている。
【００４０】
なお、本実施例では、満水量を１．２リットル、０．３リットル未満を検知してから５秒後に出湯禁止状態としているが、これらの数値は、本体構成によって決まるので、この数値に限定されるものではない。
【００４１】
【発明の効果】
以上のように本発明によれば、出湯中に加熱容器内の貯湯量が所定量未満となると、出湯を強制的に停止して、加熱容器内への水の給水を行うことで、出湯時の給水による出温度低下を抑えることができる。
【図面の簡単な説明】
【図１】本発明の実施例１と２における給湯装置の断面図
【図２】本発明の実施例１〜６における給湯装置の表示操作部の平面図
【図３】本発明の実施例１における給湯装置の加熱容器の断面図
【図４】本発明の実施例２における給湯装置の加熱容器の断面図
【符号の説明】
１  水道管
４  加熱ユニット
６  加熱容器
８  給水弁
１０  切替弁
１１  主ヒータ
１２  補助ヒータ
１３  サーミスタ
１４  ポンプ
１５  水位電極
２１  表示操作部
２３  制御手段
【図１】
0003770188.tif 000002
【図２】
0003770188.tif 000003
【図３】
0003770188.tif 000004
【図４】
0003770188.tif 000005